(57)【要約】【課題】この発明は蓋付きガラス食器に関し、特に、シンプルな構成で蓋の開閉が簡単かつ容易で清潔に保つことができる蓋付きガラス食器に関する。【解決手段】口部２１の外周に鍔部３０が形成されたガラス食器本体２０と、前記鍔部との嵌着部７１を有する蓋体６０とからなり、前記蓋体は、天面部６１から下方に傾斜する傾斜部６２と外周枠部７０とを備え、前記外周枠部は可撓性を有し、下部内側に前記嵌着部を形成するための前記口部上面に当接する上顎部７２と前記鍔部下面に係着する突条部７３とを有し、かつ前記蓋体の相対向する２ケ所に前記突条部の外側には指掛け部８０が延設されているとともに、前記外周枠部の上部には屈曲可能な凹溝部７５が形成されていて、前記天面部の上下動に伴って前記凹溝部が屈曲して前記突条部が枠内外方向に移動することを特徴とする。【選択図】図１
2014166220.tif 000002
【特許請求の範囲】
【請求項１】
口部の外周に鍔部が形成されたガラス食器本体と、前記鍔部との嵌着部を有する蓋体とからなり、
前記蓋体は、天面部から下方に傾斜する傾斜部と外周枠部とを備え、
前記外周枠部は可撓性を有し、下部内側に前記嵌着部を形成するための前記口部上面に当接する上顎部と前記鍔部下面に係着する突条部とを有し、かつ前記蓋体前記外周枠部の下部の相対向する２ケ所には指掛け部が延設されているとともに、
前記外周枠部の上部には屈曲可能な凹溝部が形成されていて、前記天面部の上下動に伴って前記凹溝部が屈曲して前記突条部が枠内外方向に移動する
ことを特徴とする蓋付きガラス食器。
【請求項２】
前記外周枠部が可撓性材料から構成されている請求項１に記載の蓋付きガラス食器。
【請求項３】
前記外周枠部において前記突条部が形成されていない非嵌着部を部分的に有する請求項１又は２に記載の蓋付きガラス食器。
【請求項４】
前記食器本体の前記口部が角丸な四辺形状を有し、前記蓋体の前記指掛け部が前記口部に対応する２辺の中央部に形成されている請求項１ないし４のいずれかに記載の蓋付きガラス食器。
【請求項５】
前記蓋体の前記天面部に食器本体内と連通する空気穴部が開閉自在に設けられている請求項１ないし５のいずれかに記載の蓋付きガラス食器。
【請求項６】
前記食器本体がソーダライムガラスよりなるとともに、そのガラス表面に冷却風をあてて冷却強化され圧縮応力値が２４〜６４ＭＰａの範囲内の圧縮応力層が形成された表面層を有する請求項１ないし６のいずれかに記載の蓋付きガラス食器。
【請求項７】
前記食器本体が、その下胴部の外周に形成された複数の保護リブと、底部外側に形成された保持突部とを有する請求項７に記載の蓋付きガラス食器。
【発明の詳細な説明】
【技術分野】
【０００１】
この発明は蓋付きガラス食器に関し、特に、シンプルな構成で蓋の開閉が簡単かつ容易で清潔に保つことができる蓋付きガラス食器に関する。
【背景技術】
【０００２】
通常使用されるガラス製の鉢等の食器には蓋体は備えられておらず、必要な場合にはラップフィルム等でその口部を覆うことが行われている。しかしながら、食器に入れた食品を冷蔵庫等で保管したり、あるいは電子レンジで加熱したりする場合には、蓋体が備えられていると便利である。
【０００３】
一方、容器に蓋を備えたものは従来から知られている。この種の蓋付き容器としては、例えば蓋体の裏面の垂下部の外周にリング状パッキンを水平に取り付け、蓋閉め時には該リング状パッキンを容器本体の内壁面に圧接変形させて密閉する（特許文献１参照。）。
【０００４】
しかしながら、この従来の蓋付き容器は、リング状パッキンの構造上、リング状パッキン外周が容器内壁に対して適度な変形量を保ったまま、圧接する必要があるので、食卓で日常的に使用される食器としてのデザイン性に制約がある。また、リング状パッキンは比較的薄く変形性の大きいものである一方において、繰り返し屈曲変形されるばかりでなく、熱や洗剤等による強いストレスを受けるので、耐久性に問題がある。容器の使い始めは開閉が困難なほどシール性が高かったものが、経時的にパッキンが伸びてシール性が劣り密閉できないこともしばしばであった。さらに、リング状パッキンは蓋体裏側の嵌着溝に取り付けられるのであるが、当該溝内に入り込んだ汚れや油や水分の洗浄が困難であった。
【先行技術文献】
【特許文献】
【０００５】
【特許文献１】特開２００２−２７４５５０号公報
【発明の概要】
【発明が解決しようとする課題】
【０００６】
この発明は、前記の点に鑑みなされたものであって、食卓で日常的に使用される食器としてのデザイン性の制約を受けることなく、ワンプッシュで蓋体の開閉が簡単かつ容易にでき、蓋体の耐久性があり、しかも構造がシンプルで洗浄性に優れ、清潔性を保つことができる新規な蓋付きガラス食器を提供することを目的とする。
【課題を解決するための手段】
【０００７】
すなわち、請求項１の発明は、口部の外周に鍔部が形成されたガラス食器本体と、前記鍔部との嵌着部を有する蓋体とからなり、前記蓋体は、天面部から下方に傾斜する傾斜部と外周枠部とを備え、前記外周枠部は可撓性を有し、下部内側に前記嵌着部を形成するための前記口部上面に当接する上顎部と前記鍔部下面に係着する突条部とを有し、かつ前記蓋体前記外周枠部の下部の相対向する２ケ所には指掛け部が延設されているとともに、前記外周枠部の上部には屈曲可能な凹溝部が形成されていて、前記天面部の上下動に伴って前記凹溝部が屈曲して前記突条部が枠内外方向に移動することを特徴とする蓋付きガラス食器に係る。
【０００８】
また、請求項２の発明は、前記外周枠部が可撓性材料から構成されている請求項１に記載の蓋付きガラス食器に係る。
【０００９】
請求項３の発明は、前記外周枠部において前記突条部が形成されていない非嵌着部を部分的に有する請求項１又は２に記載の蓋付きガラス食器に係る。
【００１０】
請求項４の発明は、前記食器本体の前記口部が角丸な四辺形状を有し、前記蓋体の前記指掛け部が前記口部に対応する２辺の中央部に形成されている請求項１ないし３のいずれかに記載の蓋付きガラス食器に係る。
【００１１】
請求項５の発明は、前記蓋体の前記天面部に食器本体内と連通する空気穴部が開閉自在に設けられている請求項１ないし４のいずれかに記載の蓋付きガラス食器に係る。
【００１２】
請求項６の発明は、前記食器本体がソーダライムガラスよりなるとともに、そのガラス表面に冷却風をあてて冷却強化され圧縮応力値が２４〜６４ＭＰａの範囲内の圧縮応力層が形成された表面層を有する請求項１ないし５のいずれかに記載の蓋付きガラス食器に係る。
【００１３】
請求項７の発明は、前記食器本体が、その下胴部の外周に形成された複数の保護リブと、底部外側に形成された保持突部とを有する請求項７に記載の蓋付きガラス食器に係る。
【発明の効果】
【００１４】
請求項１の発明に係る蓋付きガラス食器は、口部の外周に鍔部が形成されたガラス食器本体と、前記鍔部との嵌着部を有する蓋体とからなり、前記蓋体は、天面部から下方に傾斜する傾斜部と外周枠部とを備え、前記外周枠部は可撓性を有し、下部内側に前記嵌着部を形成するための前記口部上面に当接する上顎部と前記鍔部下面に係着する突条部とを有し、かつ前記蓋体前記外周枠部の下部の相対向する２ケ所には指掛け部が延設されているとともに、前記外周枠部の上部には屈曲可能な凹溝部が形成されていて、前記天面部の上下動に伴って前記凹溝部が屈曲して前記突条部が枠内外方向に移動するように構成されているものであるから、食器本体のデザイン性のが制約を受けることなく、嵌着部が蓋体に設けられているので耐久性があり、ワンプッシュで蓋体の開閉ができ、しかも構造がシンプルなので洗浄性に優れ清潔性を長く保つことができる、新規な蓋付きガラス食器を提供することができた。
【００１５】
また、請求項２に係る発明にあっては、請求項１において、前記外周枠部が可撓性材料から構成されているので、より簡便にかつ効果的に外周枠部を形成することができる。
【００１６】
請求項３に係る発明にあっては、請求項１又は２において、前記外周枠部において前記突条部が形成されていない非嵌着部を部分的に有するので、蓋部のワンプッシュ開閉をより容易かつ簡単に行うことができる。
【００１７】
請求項４に係る発明にあっては、請求項１ないし３のいずれかにおいて、前記食器本体の前記口部が角丸な四辺形状を有し、前記蓋体の前記指掛け部が前記口部に対応する２辺の中央部に形成されているので、食器として最も一般的に多用される口部が角丸な四辺形状を有する食器をより使い勝手のよいものとすることができる。
【００１８】
また、請求項５に係る発明にあっては、請求項１ないし４のいずれかにおいて、前記蓋体の前記天面部に食器本体内と連通する空気穴部が開閉自在に設けられているので、電子レンジにも好適に使用することができる。
【００１９】
さらに、請求項６に係る発明にあっては、請求項１ないし５のいずれかにおいて、前記食器本体がソーダライムガラスよりなるとともに、そのガラス表面に冷却風をあてて冷却強化され圧縮応力値が２４〜６４ＭＰａの範囲内の圧縮応力層が形成された表面層を有するものであるから、安価で透明性に優れるソーダライムガラスよりなり、そのガラス表面に歪の少ない適度な圧縮応力層を形成した強化ガラスであって、万一の破損の際に大きな音とともに破損したりガラス片が散逸する不安のない、安全、安心なものを提供することができた。
【００２０】
請求項７に係る発明にあっては、請求項６において、前記食器本体が、その下胴部の外周に形成された複数の保護リブと、底部外側に形成された保持突部とを有するから、積み重ね時に、互いのガラス表面を傷つけることなく、また合着面に水が入り分離できないなどのトラブルを防ぐことができる。
【図面の簡単な説明】
【００２１】
【図１】この発明の一実施例に係る蓋付きガラス食器の斜視図である。
【図２】図１の蓋付きガラス食器の蓋閉め時の側面図である。
【図３】図１の蓋付きガラス食器の蓋体の平面図である。
【図４】同じく蓋体の裏面図である。
【図５】図１の蓋付きガラス食器の蓋閉め時（左半部分）と蓋開け時（右半部分）の状態をそれぞれ半分ずつ表した断面図である。
【図６】実施例の蓋付きガラス食器の蓋体の天面部を押圧して外周枠部の凹溝部を屈曲する状態を表す斜視図である。
【図７】実施例の蓋付きガラス食器の蓋体の天面部を押圧して凹溝部を屈曲するとともに、外周枠部の指掛け部によって蓋体と容器本体とを分離した状態を表す斜視図である。
【図８】蓋体天面部の空気穴部の実施例を示す要部拡大断面図である。
【図９】図８の空気穴部の開放時の断面図である。
【発明を実施するための形態】
【００２２】
図１の実施例に図示したように、この発明の蓋付きガラス食器１０はガラス食器本体２０と蓋体６０とからなる。ガラス食器本体２０の口部２１の外周には鍔部３０が形成されており、蓋体６０にはガラス食器本体２０の前記鍔部３０との嵌着部７１を有する。
【００２３】
図示したガラス食器本体２０は、口部２１が、例えば一辺が９０〜２６０ｍｍの角丸な四辺形状を有するガラス鉢であって、望ましくは、ソーダライムガラスよりなるガラス表面に冷却風をあてて冷却強化された応力圧縮値が２４〜６４ＭＰａの範囲内の圧縮応力層が形成された表面層を有するものである。すなわち、圧縮応力層の応力値はその値に比例してガラス自体の強度が向上するものであるが、通常の強化ガラスにおいては６４ＭＰａ以上の応力層が形成されるのであるが、この高い応力層を形成した場合には応力値のばらつきが生ずることが避けられず、したがって局部的に高い応力値を有する箇所ができ、これにより面歪みが生じ、破損時に大きな音とともにガラス片が散逸することがあり、一般消費者に不安感を与える。一方、ガラス表面の圧縮応力層の応力値が２４ＭＰａ未満であると、所望する強度及び耐熱強度（温度差１２０℃以上）が得られない。
【００２４】
このことから、ガラス食器の表面に形成される圧縮応力層は２４〜６４ＭＰａの範囲の応力値であることが望ましい。このような応力値の圧縮応力層は、ガラス食器成形後の冷却風による強化を緩やかに行うことによって実現される。この範囲であれば、ガラス表面に歪の少ない適度な圧縮応力層を形成することができ、日常使用されるガラス食器又は容器としての強度及び耐熱強度を備えかつ、万一の破損の際に大きな音とともに破損したりガラス片が散逸する不安のない、安全、安心なものとすることができる。
【００２５】
また、図１に図示したように、ガラス食器本体２０の胴部２２の下部２４の外周に複数の保護リブ４０を設け、底部２３外側には保持突部５０とを設けることによって、食器の積み重ね時に、互いのガラス表面を傷つけることなく、また合着面に水が入り分離できないなどのトラブルを防ぐことができる。
【００２６】
蓋体６０はプラスチック材料等からなり、図２ないし図４からよりよく理解されるように、天面部６１から下方に傾斜する傾斜部６２と外周枠部７０とを備える。外周枠部７０は可撓性を有し、図４に図示されるように、下部内側に前記嵌着部７１を形成するための前記口部上面に当接する上顎部７２と前記鍔部下面に係着する突条部７３とを有し、かつ蓋体の相対向する２ケ所に前記突条部７３の外側には指掛け部８０が延設されている。
【００２７】
そして、蓋体６０の前記外周枠部７０の上部には屈曲可能な凹溝部７５が形成されていて、前記天面部６１の上下動に伴って前記凹溝部７５が屈曲して外周枠部７１の下端側に形成された前記突条部７３が枠内外方向に移動するように構成される。すなわち、図５の左右の断面図から解るように、蓋体の天面部６１に圧力Ａが加わり押し下げられると、傾斜部６２によって凹溝部７５が下方に押し下げられ、凹溝部７５の屈曲に伴って外周枠部７０の下端側つまり突条部７３が枠外側方向Ｂに移動する。これによって、食器本体２０の鍔部３０と嵌着部７１との係着が解かれ、蓋体前記外周枠部７０の下部の外側に延設された指掛け部８０に指をかけて上方へ持ち上げれば蓋体６０をガラス食器本体２０から分離することができる。
【００２８】
図６及び図７はこの指掛け部８０による、食器本体の鍔部３０と蓋体の嵌着部７１との係着を操作する状態を表したものである。指掛け部８０は蓋体の相対向する２ケ所に前記突条部７３の外側には延設されているものであるから、図のように、左右両手を使って、両手の親指を天面部６１に、親指以外の他の指を指掛け部８０にそれぞれ配置して、図６のように天面部６１を親指によって押圧Ａするとともに、親指以外の指によって指掛け部８０を枠外方へ広げる。前記したように、天面部６１に圧力Ａが加わり押し下げられると、凹溝部７５の屈曲に伴って外周枠部７０の嵌着部７１と食器本体２０の鍔部３０との係着が解除されるので、図７のように、親指以外の他の指によって指掛け部８０をさらに枠外方Ｂへ広げることによって、蓋体６０と食器本体２０の口部全周における係着が解除されて両者は分離される。ちなみに、分離した蓋体６０を食器本体２０と合着する場合には図７の状態から図６の状態に戻せばよい。
【００２９】
実施例の蓋体６０は、天面部６１及び傾斜部６２がポリカーボネート樹脂やＰＭＭＡ等の透明な硬質樹脂よりなり、外周枠部７０がシリコン樹脂やＥＰＤＭ等の軟質樹脂の可撓性材料から構成されている。外周枠部７０を可撓性材料から構成することによって、嵌着部７１を構成する上顎部７２や突条部７３、指掛け部８０及び凹溝部７５を同時かつ一体に簡単に製造することができる。
【００３０】
また、実施例の蓋体６０は図４の蓋体裏面図からも明らかなように、外周枠部７０の一部に突条部７３が形成されていない非嵌着部７４が形成されている。食器の性格上蓋体６０にそれほど高い密閉性が要求されない場合や、蓋部６０の開閉を頻繁にかつ容易に行いたい場合など、必要に応じて、嵌着部７１を構成する突条部７３を適宜部分で切除した被嵌着部７４が形成される。この例では、嵌着部７１は四辺形状の蓋体の各角部に隙間７１Ａを介して２ケ所ずつ形成され、非嵌着部７４は四辺形状の各直線部に形成されている。この場合においても、食器本体２０の口部２１上面へ当接する上顎部７２は、食器本体２０に対する蓋体６０の合接を効果的に行う上で蓋体６０全周に形成しておくことが好ましい。
【００３１】
さらに、実施例の蓋体６０には、その天面部６１に食器本体２０内と連通する空気穴部９０が開閉部材９１によって開閉自在に設けられている。図８及び図９は空気穴部９０の開閉を表す図である。図示のように板状の開閉部材９１は天面部６１の凹部６４内に軸受け部９２によって回動自在に軸支されていて、通常は図８のように開閉部材９１の突部９５が空気穴部９０を塞いでいる。電子レンジ等による加熱使用時には、図９のように開閉部材９１を押圧力Ｃによって上方へ回転すると空気穴部９０を塞いでいた突部９５が後退して空気穴部９０を開き、食器内２０の蒸気を放出する。なお、空気穴部９０の開閉部材は、回転部材、直動部材又は押圧部材など公知のものを使用することができる。
【符号の説明】
【００３２】
１０  蓋付きガラス容器
２０  ガラス食器本体
２１  口部
２２  胴部
２３  底部
２４  下胴部
３０  鍔部
４０  保護リブ
５０  保持突状部
６０  蓋部
６１  天面部
６２  傾斜部
７０  外周枠部
７１  嵌着部
７２  上顎部
７３  突条部
７４  非嵌着部
７５  凹溝部
８０  指掛け部
９０  空気穴部
【図１】
2014166220.tif 000003
【図２】
2014166220.tif 000004
【図３】
2014166220.tif 000005
【図４】
2014166220.tif 000006
【図５】
2014166220.tif 000007
【図６】
2014166220.tif 000008
【図７】
2014166220.tif 000009
【図８】
2014166220.tif 000010
【図９】
2014166220.tif 000011